(57)【要約】【課題】防犯灯を支柱の適切な位置に照明機器の照明効果を損なわずに設置可能とし、しかも警報灯の視認性を低下させず、警報音発報器の警報音を周囲に確実に報知可能にする。【解決手段】街灯用の照明機器６、並びに警報灯１０、警報音発報器１２、及び制御装置１４を有する防犯警報機器８を備える。防犯警報機器８を携帯端末器４又は非常用押しボタン５から発信される緊急信号を制御装置で受信することで動作させる。警報灯１０を赤色発光ダイオード１６ａ及び黄色発光ダイオード１６ｂを光源として構成する。制御装置１４に、緊急信号の受信時に発光ダイオード１６ａ，１６ｂを明滅させ、且つ警報音発報器１２を発報させる機能をもたせる。照明機器６に防犯警報機器８を構成する警報灯１０、警報音発報器１２、及び制御装置１４を一体的に組み込む。【選択図】図２
0003131462.tif 000002
【実用新案登録請求の範囲】
【請求項１】
街灯用の灯具を備えた照明機器、並びに警報灯、警報音発報器、及びそれらの動作制御と信号の送受信とを行うための制御装置を有する防犯警報機器を備え、該防犯警報機器を緊急発信器から発信される緊急信号を上記制御装置で受信することにより動作させるようにした防犯灯であって、
上記警報灯を、上記照明機器に配設した複数の発光ダイオードを光源として構成し、
上記制御装置に、上記緊急発信器からの緊急信号の受信時に、上記警報灯における複数の発光ダイオードを明滅させ、且つ上記警報音発報器から警報音を発報させる機能をもたせ、
上記照明機器に、上記防犯警報機器を構成する警報灯、警報音発報器、及びそれらの制御装置を一体的に組み込むことにより構成した、
ことを特徴とする防犯灯。
【請求項２】
上記警報灯を、交互に列設した複数の赤色発光ダイオード及び複数の黄色発光ダイオードを光源として構成し、
上記制御装置に、上記緊急発信器からの緊急信号の受信時に、その防犯灯上の警報灯における赤色発光ダイオードを明滅させるとともに警報音発報器から警報音を発報させ、且つ近接する他の防犯灯の制御装置に、当該防犯灯の警報灯における黄色発光ダイオードを明滅させる伝達信号を送信する機能をもたせた、
ことを特徴とする請求項１に記載の防犯灯。
【請求項３】
上記警報灯における複数の発光ダイオードを、上記灯具の周囲を囲繞する透光性の基板上に配列するとともに、上記制御装置に、上記複数の発光ダイオードを上記灯具の周囲に沿って周期的に順次点滅させる機能をもたせた、
ことを特徴とする請求項１または２に記載の防犯灯。
【請求項４】
上記警報灯における複数の発光ダイオードが、上記灯具を覆うグローブの周面に沿って配設された基板上に配列されるとともに、上記制御装置に、上記複数の発光ダイオードを上記グローブの周囲に沿って周期的に順次点滅させる機能をもたせた、
ことを特徴とする請求項１または２に記載の防犯灯。
【請求項５】
上記発光ダイオードの周期的な点滅が、その点灯部が灯具またはグローブの周囲に沿って一方向に回転することにより、回転灯を模した点灯態様である、
ことを特徴とする請求項３または４に記載の防犯灯。
【請求項６】
街灯用の灯具を備えた照明機器、並びに警報灯、警報音発報器、及びそれらの動作制御と信号の送受信とを行うための制御装置を有する防犯警報機器を備え、該防犯警報機器を緊急発信器から発信される緊急信号を上記制御装置で受信することにより動作させるようにした防犯灯であって、
上記警報灯を、電気灯を光源とした回転電気灯で構成し、
上記制御装置に、上記緊急発信器からの緊急信号の受信時に、上記警報灯を構成する回転電気灯を点灯させて回転させ、且つ上記警報音発報器から警報音を発報させる機能をもたせ、
上記照明機器に、上記防犯警報機器を構成する警報灯、警報音発報器、及びそれらの制御装置を一体的に組み込むことにより構成した、
ことを特徴とする防犯灯。
【請求項７】
上記警報灯を赤色回転電気灯及び黄色回転電気灯で構成し、
上記制御装置に、上記緊急発信器からの緊急信号の受信時に、その防犯灯上の警報灯における赤色回転電気灯を動作させるとともに警報音発報器から警報音を発報させ、且つ近接する他の防犯灯の制御装置に、当該防犯灯の警報灯における黄色回転電気灯を動作させる伝達信号を送信する機能をもたせた、
ことを特徴とする請求項６に記載の防犯灯。
【考案の詳細な説明】
【技術分野】
【０００１】
本考案は、街灯用の照明機器に防犯警報機器を一体的に組み込むことにより構成した防犯灯に関するものである。
【背景技術】
【０００２】
近年、ひったくりや痴漢などの他、ストーカーや通り魔などによって人身が殺傷されるといった凶悪な街頭犯罪が多発し、防犯のための対策が急がれている。
その対策の一つとして、道路に沿って設置された電信柱又は街灯用ポール等の支柱に付加的に防犯警報機器を設置することが考えられるが、該防犯警報機器を構成する警報灯及び警報音発報器の設置場所は、周囲からの警報灯の視認性及び警報音発報器における警報音の音響効果等を考慮すると、街灯における照明機器が取り付けられている位置の付近が適切である場合が少なくない。
しかしながら、上記照明機器の下方に過度に近接して防犯警報機器を設置すると、該照明機器の灯光を該防犯警報機器によって遮ることがあり、逆に、上記照明機器の上方に過度に近接して防犯警報機器を設置すると、該防犯警報機器における警報灯の視認性が低下するばかりでなく、警報音発報器の警報音を十分に周囲に報知することができない虞がある。したがって、上記照明機器による照明効果を損なわず、しかも防犯警報機器における警報灯の視認性の低下を招くことがないうえに、警報音発泡機器の警報音を周囲に確実に報知することができるようにすることが望まれる。
【考案の開示】
【考案が解決しようとする課題】
【０００３】
如上に鑑みて、本考案の技術的課題は、街頭犯罪を抑止するための防犯灯を、電信柱又は街灯用ポール等の支柱における適切な位置に、上記照明機器による照明効果を損なうことなく設置可能とし、しかも防犯警報機器における警報灯の視認性を低下させることがないうえに、警報音発報器の警報音を周囲に確実に報知することを可能にした防犯灯を提供することにある。
【課題を解決するための手段】
【０００４】
上記課題を解決するための本考案に係る第１の防犯灯は、街灯用の灯具を備えた照明機器、並びに警報灯、警報音発報器、及びそれらの動作制御と信号の送受信とを行うための制御装置を有する防犯警報機器を備え、該防犯警報機器を緊急発信器から発信される緊急信号を上記制御装置で受信することにより動作させるようにした防犯灯であって、上記警報灯を、上記照明機器に配設した複数の発光ダイオードを光源として構成し、上記制御装置に、上記緊急発信器からの緊急信号の受信時に、上記警報灯における複数の発光ダイオードを明滅させ、且つ上記警報音発報器から警報音を発報させる機能をもたせ、上記照明機器に、上記防犯警報機器を構成する警報灯、警報音発報器、及びそれらの制御装置を一体的に組み込むことにより構成したことを特徴とするものである。
【０００５】
本考案に係る第１の防犯灯の好ましい実施形態においては、上記警報灯が、交互に列設した複数の赤色発光ダイオード及び複数の黄色発光ダイオードを光源として構成され、上記制御装置に、上記緊急発信器からの緊急信号の受信時に、その防犯灯上の警報灯における赤色発光ダイオードを明滅させるとともに警報音発報器から警報音を発報させ、且つ近接する他の防犯灯の制御装置に、当該防犯灯の警報灯における黄色発光ダイオードを明滅させる伝達信号を送信する機能をもたせたものとして構成される。
【０００６】
本考案に係る第１の防犯灯の他の好ましい実施形態においては、上記警報灯における複数の発光ダイオードが、上記灯具の周囲を囲繞する透光性の基板上に配列されるとともに、上記制御装置に、上記複数の発光ダイオードを上記灯具の周囲に沿って周期的に順次点滅させる機能をもたせ、あるいは、上記警報灯における複数の発光ダイオードが、上記灯具を覆うグローブの周面に沿って配設された基板上に配列されるとともに、上記制御装置に、上記複数の発光ダイオードを上記グローブの周囲に沿って周期的に順次点滅させる機能をもたせたものとして構成される。この場合、記発光ダイオードの周期的な点滅が、その点灯部が灯具またはグローブの周囲に沿って一方向に回転することにより、回転灯を模した点灯態様である。
【０００７】
また、本考案に係る第２の防犯灯は、上記警報灯が、電気灯を光源とした回転電気灯で構成され、上記制御装置に、上記緊急発信器からの緊急信号の受信時に、上記警報灯を構成する回転電気灯を点灯させて回転させ、且つ上記警報音発報器から警報音を発報させる機能をもたせ、上記照明機器に、上記防犯警報機器を構成する警報灯、警報音発報器、及びそれらの制御装置を一体的に組み込むことにより構成したことを特徴としている。
【０００８】
本考案に係る第２の防犯灯の好ましい実施形態においては、上記警報灯が赤色回転電気灯及び黄色回転電気灯で構成され、上記制御装置に、上記緊急発信器からの緊急信号の受信時に、その防犯灯上の警報灯における赤色回転電気灯を動作させるとともに警報音発報器から警報音を発報させ、且つ近接する他の防犯灯の制御装置に、当該防犯灯の警報灯における黄色回転電気灯を動作させる伝達信号を送信する機能をもたせたものとして構成される。
【考案の効果】
【０００９】
以上に詳述した本考案に係る防犯灯によれば、街頭犯罪を抑止するための防犯灯を、街灯における照明機器に防犯警報機器を一体的に組み込むことにより構成しているので、防犯警報機器を街灯とともに電信柱又は街灯用ポール等の支柱における適切な位置に設置できるばかりでなく、該照明機器による照明効果を損なうことなく、しかも防犯警報機器における警報灯の視認性を低下させることがないうえに、警報音発報器の警報音を周囲に確実に報知することができる。
また、本考案によれば、防犯警報機器の設置を街灯とともに行うことができるので、防犯警報機器の設置に格別の費用、手数を必要とせず、各種位置に防犯警報機器を固定するためのブラケットを用意する必要もない点で極めて有利である。
【考案を実施するための最良の形態】
【００１０】
本考案に係る防犯灯を実施するための最良の形態を、図面に基いて詳細に説明するに、図１は本考案に係る防犯灯２を用いた防犯警報システムの一部の構成を示し、図２及び図３は本考案に係る防犯灯２の第１実施例を示している。
この防犯灯２は、図１に示すように、設定された防犯エリア内において、道路に沿って設置されている電信柱又は街灯用ポール等の支柱Ｐを利用してその複数を取り付けることによって、歩行者が携行する後述の緊急発信器を構成する携帯端末器４、又は上記支柱Ｐに取り付けた非常用押しボタン５から発信される緊急信号に基いて作動する防犯警報システムを構成するもので、図２及び図３に概略的に示すように、蛍光ランプからなる街灯用の灯具６Ａ、該灯具６Ａの動作制御を行う制御装置６Ｂ、並びに上記灯具６Ａを覆うグローブ６Ｃを備えた照明機器６の筐体６Ｄに、警報灯１０、警報音発報器１２、並びにそれらの動作制御と信号の送受信とを行うための制御装置１４を備えた防犯警報機器８を一体的に組み込むことにより構成されている。また、上記支柱Ｐには、上記制御装置１４に電気接続された上記非常用押しボタン５が取り付けられている。なお、図中の符号６Ｅは、当該防犯灯２を上記支柱Ｐに取り付けるためのブラケットである。
【００１１】
上記警報灯１０は、交互に列設した複数の赤色発光ダイオード１６ａ及び複数の黄色発光ダイオード１６ｂを光源として構成したもので、それらの赤色発光ダイオード１６ａ及び黄色発光ダイオード１６ｂを、上記照明機器６における灯具６Ａの周囲を囲繞する透光性の基板１８上に配列している。
より具体的には、上記基板１８は、表面に透明導電膜の電気回路を有するガラス基板又は合成樹脂基板からなる透光性を有する複数の長板状の基板部１８ａを、それぞれ所定の間隔をおいてその長手方向に平行に、且つ全体として略半円筒状をなすように並設するとともに、それらの基板部１８ａの長手方向の両端を略円形の支持板１８ｂで支持させ、該支持板１８ｂを、上記照明機器６及び防犯警報機器８の各種配線を集積して敷設した配線盤１９上に固定することにより、当該基板１８を構成する複数の基板部１８ａで上記灯具６Ａの周囲を囲繞するように構成されている。そして、該基板１８における各基板部１８ａの外側面には、複数の上記赤色発光ダイオード１６ａ及び複数の黄色発光ダイオード１６ｂがそれぞれ交互に配置された状態で列設されており、これらの各基板部１８ａは、それらの両端の支持板１８ｂに敷設した配線２０を介して電気接続した上記配線盤１９、及び該配線盤１９と上記制御装置１４とを電気接続している配線２１を通じて上記制御装置１４に電気接続されている。
【００１２】
なお、上記基板１８は、上述したような表面に透明導電膜の電気回路を有する複数の基板部１８ａ上に複数の発光ダイオード１６ａ，１６ｂを列設することにより、それらの発光ダイオード１６ａ，１６ｂを電気的に接続したものに限定されるものではなく、なんら特殊加工を施していない透光性を有する単なるガラス基板又は合成樹脂基板からなる基板部上に上記発光ダイオード１６ａ，１６ｂを列設するとともに、それらの発光ダイオード１６ａ，１６ｂを、上記照明機器６の照明効果を損なわない程度に細径の導線で電気的に接続するように構成することもできる。
また、上記赤色発光ダイオード１６ａ及び黄色発光ダイオード１６ｂの配列は、上述したようなものに限定されず、例えば、上記基板１８を構成する各基板部１８ａごとに赤色発光ダイオード１６ａまたは黄色発光ダイオード１６ｂを配列して、それらの赤色発光ダイオード１６ａを列設した基板部１８ａと黄色発光ダイオード１６ｂを列設した基板部１８ａとを交互に配置して並設した構成とすることもでき、その配列は各発光ダイオード１６ａ，１６ｂの数量やそれらを取り付ける基板１８の形状及び大きさ等に応じて適宜設定することができる。
【００１３】
また、上記警報音発報器１２は、上記照明機器６における筐体６Ｄの上面に形成した多数の通孔６ａを通じて警報音を発報する小型のスピーカー機器で構成されており、該筐体６Ｄ内において、該警報音発報器１２と上記配線盤１９とを配線２２を介して電気接続することにより、該配線盤１９と上記制御装置１４とを電気接続している上記配線２１を通じて上記制御装置１４に電気接続されている。
なお、この警報音発報器１２は、それが発する警報音の指向性を考慮して、上記筐体６Ｄ内に複数設けることもできる。
【００１４】
上記制御装置１４は、図４に概念的に示すように、携帯端末器４及び非常用押しボタン５から発せられる信号の受信と、近接する１つ又は複数の他の防犯灯２に対する伝達信号の送受信とを行うとともに、それらの信号に基いて上記警報灯１０及び警報音発報器１２の動作制御を行うためのものとして構成されている。
より具体的には、上記制御装置１４は、上記携帯端末器４から電波として発信される緊急信号の受信と、他の防犯灯２の制御装置１４から電波として送信される伝達信号の受信とを行う受信部１４Ａと、近接する他の防犯灯２の制御装置１４に向けて伝達信号を送信する送信部１４Ｂと、上記受信部１４Ａから送られてくる受信信号と非常用押しボタン５から上記配線を通じて入力される緊急信号とを受けてそれらの受信信号の出所（種類）を判別する信号判別部１４Ｃと、この信号判別部１４Ｃからの判別信号に基いて、上記送信部１４Ｂ、警報灯１０、警報音発報器１２を選択的に作動させる制御部１４Ｄとを有している。したがって、上記携帯端末器４から発信される緊急信号と、各防犯灯２における制御装置１４の送信部１４Ｂから発信される伝達信号とは、それらの波長や波形あるいは振動数等が異なるものとしたり、その他の判別のための工夫を施しておくことにより、上記信号判別部１４Ｃにおいてそれらを判別できるようにしておくことが望ましい。
また、上記信号判別部１４Ｃと制御部１４Ｄとは、回路基板に搭載されて上記制御装置１４の内部に収容されており、また、上記受信部１４Ａと送信部１４Ｂは、送受信部２４として一つに纏められ、上記制御装置１４の内部に設置されている。
【００１５】
そして、上記信号判別部１４Ｃに入力される信号が、上記受信部１４Ａから送られた携帯端末器４からの緊急信号によるもの、又は上記非常押しボタン５からの緊急信号によるものである場合には、この信号判別部１４Ｃからそれに応じた判別信号が上記制御部１４Ｄに送られることにより、この制御部１４Ｄが、上記警報灯１０における赤色発光ダイオード１６ａを上記基板１８の円周方向に沿って周期的に順次点滅させるとともに、上記警報音発報器１２から警報音を発報させ、さらに上記制御装置１４における送信部１４Ｂを起動させて、近接する他の防犯灯２に向けて伝達信号を送信させる。
【００１６】
一方、上記信号判別部１４Ｃに入力される信号が、上記受信部１４Ａから送られた他の防犯灯２上の制御装置１４からの伝達信号によるものである場合には、この信号判別部１４Ｃからの判別信号によって、上記制御部１４Ｄが、上記警報灯１０における黄色発光ダイオード１６ｂを上記基板１８の円周方向に沿って周期的に順次点滅させるとともに、上記警報音発報器１２から警報音を発報させ、さらに上記制御装置１４における送信部１４Ｂを起動させて、近接する他の防犯灯２に向けて伝達信号を送信させる。
なお、上記制御装置１４による信号判別部１４Ｃに入力される信号に応じた上記赤色発光ダイオード１６ａ及び黄色発光ダイオード１６ｂの明滅のための制御は、上述したものに限定されず、上記信号判別部１４Ｃに入力される信号に応じて、両発光ダイオード１６ａ，１６ｂの明滅態様を適宜組み合わせて設定することができる。
【００１７】
上記緊急発信器を構成する携帯端末器４は、図５に概略的に示すように、ポケットや鞄等に入れて持ち運べる大きさのケーシング４ａの内部に、警報音を発報する防犯ブザーとしての機能部分４Ａと、該防犯ブザーとしての機能部分４Ａに連動して動作するところの電波による緊急信号を発信する発信装置としての機能部分４Ｂとを内蔵するとともに、上記防犯ブザーとしての機能部分４Ａを起動させるための引抜き式の操作子４ｂを備え、該操作子４ｂの引抜き操作により、上記防犯ブザーとしての機能部分４Ａと発信装置としての機能部分４Ｂとが作動するように構成されている。
【００１８】
なお、上記操作子４ｂが操作されたあと、その操作がすぐに解除されても、緊急信号が発信され続けるように、上記携帯端末器４を自己保持形として、操作状態が維持されるように構成することが望ましい。この場合、自己保持の解除は、発信装置としての機能部分４Ｂに組み込んだタイマーによって行うか、ケーシング４ａに設けた解除スイッチ（図示省略）を操作することによって行うことができる。
上記携帯端末器４としては、操作子４ｂによる発報操作時に緊急信号を発信する機能をもたせた防犯ブザー若しくはそのような防犯ブザーの機能をもたせた携帯電話、又は緊急通報受理機関（警察機関、消防機関、及び海上保安機関）に対する緊急呼発信時に緊急信号を発信する機能をもたせた携帯電話などを使用することができる。
【００１９】
上記緊急発信器を構成する非常用押しボタン５は、四角い箱形をしたボタンケース２５の前面に設けられていて、このボタンケース２５が上記支柱Ｐに固定され、このボタンケース２５と上記防犯灯２との間に保護パイプ２７が延設され（図１参照）、この保護パイプ２７内の配線２９を介して電気接続した上記防犯灯２内の配線盤１９、及び該配線盤１９と上記防犯警報機器８の制御装置１４とを電気接続している配線２１を通じて、上記非常押しボタン５と上記制御装置１４とが電気接続されている（図２参照）。上記非常押しボタン５は、小さい子供でも押圧操作可能な高さに取り付けるのが望ましい。
なお、上記緊急発信器を構成する携帯端末器４と非常用押しボタン５とが同時に操作された場合には、携帯端末器４からの緊急信号が優先されるように設定しておくことが望ましいが、そのように設定しておく場合に限らず、上記携帯端末器４側及び／又は非常用押しボタン５側の設定により適宜設定を変更できるようにすることもできる。
ここで、当該防犯灯２を構成する照明機器６及び防犯警報機器８は全て防水構造を有し、雨水等の浸入によって誤作動したり腐蝕したりすることがないように構成されているのはいうまでもない。
【００２０】
上記構成を有する防犯灯２は、防犯エリア内において上記携帯端末器４が操作されることによって緊急信号が発信され、該緊急信号の発信場所に近接する防犯灯２に設けられた防犯警報機器８における制御装置１４がこの緊急信号を受信するか、あるいは防犯エリア内のいずれかの防犯灯２の非常押しボタン５が押されて上記制御装置１４がその緊急信号を受け取ると、その防犯灯２における警報灯１０の赤色発光ダイオード１６ａが、略半円筒状の上記基板１８の円周方向に沿って周期的に順次点滅して一方向に回転することにより、外観的には赤色回転灯を模した点灯態様となるとともに、上記警報音発報器１２から警報音が発報され、さらに上記制御装置１４の送信部１４Ｂから近接する他の防犯灯２に向けて伝達信号が送信される。そして、上記伝達信号を受信した防犯灯２においては、上記警報灯１０の黄色発光ダイオード１６ｂが、上記基板１８の円周方向に沿って周期的に順次点滅して一方向に回転することにより、外観的には黄色回転灯を模した点灯態様となるとともに、上記警報音発報器１２から警報音が発報され、さらにこの防犯灯２から近接する他の防犯灯２に向けて伝達信号が送信され、同様の動作が全ての防犯灯２について行われる。
【００２１】
このとき、上記防犯灯２を、上記照明機器６に防犯警報機器８を一体的に組み込むことにより構成しているので、該防犯警報機器８を街灯とともに電信柱又は街灯用ポール等の支柱Ｐにおける適切な位置に設置できるばかりでなく、該照明機器６による照明効果を損なうことなく設置することができ、しかも防犯警報機器８における警報灯１０の視認性を低下させることがないうえに、警報音発報器１２の警報音を周囲に確実に報知することができる。
また、上記防犯警報機器８の設置を街灯とともに行うことができるので、防犯警報機器８の設置に格別の費用、手数を必要とせず、各種位置に防犯警報機器８を固定するためのブラケットを用意する必要もない点で極めて有利である。
なお、上記携帯端末器４及び防犯警報機器８における制御装置１４の送信部１４Ｂから発信される電波は、いずれも伝播距離の短い微弱な電波信号であって、近接する一つ又は複数の防犯灯２で有効に受信できる程度の強さを有するものとし、また、電波法並びにそれに関連する法令による許可を必要としないものであることが望ましい。
【００２２】
而して、本考案に係る防犯灯２を用いた防犯警報システムは、犯罪に遭遇した場所にある防犯灯２を起点として、近接する他の防犯灯２に向けて伝達信号が順次送信されることにより、防犯エリア内にある防犯灯２の赤色発光ダイオード１６ａ及び黄色発光ダイオード１６ｂを、それぞれの防犯灯２における防犯警報機器８の制御装置１４が受信する信号に応じて周期的に点滅させて一方向に回転させ、外観的には赤色回転灯または黄色回転灯を模した点灯態様となるとともに、上記警報音発報器１２から警報音が発報されるので、犯罪に遭遇した場所が人通りの少なく場所や民家から遠く離れた場所であっても、そのエリア全体に緊急事態の発生を確実に報知することができる。しかも、犯罪に遭遇した場所にある防犯灯２においては、警報灯１０の赤色発光ダイオード１６ａを明滅させるため、遠くからでもその場所を簡単に特定してすぐに駆けつけることができる。
【００２３】
ここで、上述した実施例においては、当該防犯灯２を、上記緊急発信器を構成する携帯端末器４及び非常用押しボタン５のいずれから発信された緊急信号によっても作動するものとして構成した場合について説明したが、そのように構成することに限定されず、当該防犯灯２を、上記携帯端末器４から発信される緊急信号のみ、あるいは上記非常用押しボタン５の押圧操作によって発信される緊急信号のみに基いて作動するものとして構成することもできる。
【００２４】
図６及び図７は本考案に係る防犯灯の第２実施例を示している。この防犯灯３２は、略球状体をなす吊下タイプの照明機器３６に防犯警報機器３８を一体的に組み込むことにより構成したものである。
より具体的には、上記防犯灯３２は、電球型の街灯用の灯具３６Ａ、該灯具３６Ａの動作制御を行う制御装置３６Ｂ、並びに上記灯具３６Ａを覆うグローブ３６Ｃを備えた筐体３６Ｄに、防犯警報機器３８を構成する警報灯４０、警報音発報器４２、並びにそれらの動作制御と信号の送受信とを行うための制御装置４４とを組み込むことによって構成したもので、上記防犯警報機器３８を構成する警報灯４０における複数の赤色発光ダイオード４６ａ及び複数の黄色発光ダイオード４６ｂを、略球体状の上記グローブ３６Ｃの内周面に緯方向に沿って円環状に配設された透光性の基板４８上に、複数行複数列の円環状に且つ列方向の発光ダイオード１６ａ，１６ｂが同色となるように列設するとともに、上記制御装置４４が受信する信号に応じて、上記赤色発光ダイオード４６ａ及び黄色発光ダイオード４６ｂが、それぞれ上記グローブ３６Ｃの周囲に沿って周期的に順次点滅して一方向に回転することにより、外観的には赤色回転灯または黄色回転灯を模した点灯態様となるように構成したものである。
【００２５】
なお、上記発光ダイオード４６ａ，４６ｂは、上記基板４８を照明機器３６におけるグローブ３６Ｃの外周面に設けることにより、該グローブ３６Ｃの外周面に配置して列設することもできる。この場合、上記発光ダイオード４６ａ，４６ｂ及び基板４８、並びにそれらを上記制御装置４４に電気的に接続するための配線を含め、当該防犯灯３２を構成する機器を全て防水構造を有するものとして構成するのはいうまでもない。
ここで、この第２実施例の防犯灯３２のその他の構成及び作用は、実質的に前記第１実施例と変わるところがないから、同一部分又は相当部分に同一符号を付して、それらの説明を省略する。
【００２６】
図８は本考案に係る防犯灯の第３実施例を示している。この防犯灯６２は、防犯警報機器６８を構成する警報灯７０を、反射鏡７８Ａ，７８Ｂとともに回転する電気灯７７Ａ，７７Ｂを光源とした赤色回転電気灯７０Ａ及び黄色回転電気灯７０Ｂを上下方向に一体的に連設することにより構成したもので、該警報灯７０を、街灯用の灯具６６Ａ、該灯具６６Ａの動作制御を行う制御装置６６Ｂ、並びに上記灯具６６Ａを覆うグローブ６６Ｃを備えた照明機器６６の筐体６６Ｄの上部に一体的に装設するとともに、上記防犯警報機器６８を構成するその余の警報音発生器７２、並びに上記警報灯７０及び警報音発生器７２の動作制御と信号の送受信とを行うための制御装置７４を上記照明機器６６の筐体６６Ｄ内に一体的に組み込むことにより構成したものである。
【００２７】
より具体的には、上記警報灯７０は、透光性を有する有底円筒状の赤色ハウジング部７５Ａ及び黄色ハウジング部７５Ｂを上下方向に一体的に連設したハウジング７５と、該ハウジング７５における軸線方向の中央に挿入されて上記両ハウジング部７５Ａ，７５Ｂ内に挿通する軸部７６と、上記各ハウジング部７５Ａ，７５Ｂ内において上記軸部７６に配設された白色電気灯からなる電気灯７７Ａ，７７Ｂと、上記軸部７６における電気灯７７Ａ，７７Ｂに対応する位置に一体的に装設されて該電気灯７７Ａ，７７Ｂの灯光を反射する反射鏡７８Ａ，７８Ｂと、上記照明機器６６の筐体６６Ｄ内に設けられて上記軸部７６を回転駆動することにより上記電気灯７７Ａ，７７Ｂ及び反射鏡７８Ａ，７８Ｂを回転させる回転駆動部７９とを備え、上記ハウジング７５の下方における黄色ハウジング部７５Ｂの下端部を、該ハウジング７５自体に設けた雄ネジ部（図示省略）と上記照明機器６６における筐体６６Ｄの上面に設けた雌ネジ部（図示省略）とをパッキン（図示省略）を介して相互に螺合させることにより、上記照明機器６６の筐体６６Ｄに対して水密状態に固定している。
【００２８】
そして、上記防犯警報機器６８における制御装置７４が、携帯端末器４又は非常用押しボタン５からの信号を受信した場合には、その防犯灯６２における上記警報灯７０の回転駆動部７９を駆動することによって上記反射鏡７８Ａ及び７８Ｂを回転させるとともに、上記軸部７６における赤色ハウジング部７５Ａ内の電気灯７７Ａを点灯させることにより、外観的には赤色回転電気灯７０Ａが回転しているように見えることになる。
一方、上記制御装置７４が、他の防犯灯６２の制御装置７４からの伝達信号を受信した場合には、その防犯灯６２における上記警報灯７０の回転駆動部７９を駆動することによって上記反射鏡７８Ａ及び７８Ｂを回転させるとともに、上記軸部７６における黄色ハウジング部７５Ｂ内の電気灯７７Ｂを点灯させることにより、外観的には黄色回転電気灯７０Ｂが回転しているように見えることになる。
【００２９】
なお、上記警報灯７０を構成する赤色回転電気灯７０Ａ及び黄色回転電気灯７０Ｂの構成は、上述したものに限定されず、例えば、透光性を有する全体的に無色のハウジング７５内において、赤色電気灯７７Ａ及び黄色電気灯７７Ｂの周囲を反射鏡７８Ａ，７８Ｂが回転するものとして構成することもできる。
また、上述した実施例においては、上記赤色回転電気灯７０Ａ及び黄色回転電気灯７０Ｂを、上記軸部７６の回転駆動によって上記電気灯７７Ａ，７７Ｂが反射鏡７８Ａ，７８Ｂとともに回転するものとして構成しているが、このように構成する場合に限定されず、上記電気灯７７Ａ，７７Ｂを配設した軸部７６の周囲を反射鏡７８Ａ，７８Ｂが回転するものとして構成することもできる。
ここで、この第３実施例のその他の構成及び作用は、実質的に前記第１実施例と変わるところがないから、同一部分又は相当部分に同一符号を付して、それらの説明を省略する。
【図面の簡単な説明】
【００３０】
【図１】本考案の第１実施例に係る防犯灯を用いた防犯警報システムの一部の構成を示す概念図である。
【図２】同防犯灯の構成を概略的に示す拡大側断面図である。
【図３】図２のＸ−Ｘ線における断面図である。
【図４】同防犯警報機器における制御装置の構成例を示すブロック図である。
【図５】同携帯端末器の構成を概略的に示す側面図である。
【図６】本考案の第２実施例に係る防犯灯の構成を概略的に示す拡大側断面図である。
【図７】図６のＹ−Ｙ線における断面図である。
【図８】本考案の第３実施例に係る防犯灯の構成を概略的に示す拡大側断面図である。
【符号の説明】
【００３１】
２，３２，６２    防犯灯
４    携帯端末器（緊急発信器）
５    非常用押しボタン（緊急発信器）
６，３６，６６    照明機器
６Ａ，３６Ａ，６６Ａ  灯具
６Ｃ，３６Ｃ  グローブ
８，３８，６８    防犯警報機器
１０，４０，７０    警報灯
１２，４２，７２    警報音発報器
１４，４４，７４    制御装置
１６ａ，４６ａ  赤色発光ダイオード
１６ｂ，４６ｂ  黄色発光ダイオード
１８，４８    基板
７０Ａ  赤色回転電気灯
７０Ｂ  黄色回転電気灯
７７Ａ，７７Ｂ  電気灯
【図１】
0003131462.tif 000003
【図２】
0003131462.tif 000004
【図３】
0003131462.tif 000005
【図４】
0003131462.tif 000006
【図５】
0003131462.tif 000007
【図６】
0003131462.tif 000008
【図７】
0003131462.tif 000009
【図８】
0003131462.tif 000010